【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
上気道通路を維持する装置で、
ａ）軟組織開創器部材と、
ｂ）該開創器部材と第一末端で連結するシャフトと、
ｃ）該シャフトと第二末端で連結するアンカー部材からなり
該開創器部材、該シャフト及び該アンカー部材が生体整合性材料からなる装置。
【請求項２】
該開創器部材が膨張可能な風船を含む請求項１の装置。
【請求項３】
該アンカー部材が膨張可能な風船を含む請求項１の装置。
【請求項４】
該アンカー部材が膨張可能な風船を含む請求項２の装置。
【請求項５】
流体を加えるための導管を更に含む請求項２の装置。
【請求項６】
該流体がガス状材からなる請求項５の装置。
【請求項７】
該流体が液体からなる請求項５の装置。
【請求項８】
該流体のための調節装置を含む請求項５の装置。
【請求項９】
該シャフトが少なくとも曲げ可能で可逆的に伸張可能な請求項１の装置。
【請求項１０】
該開創器部材、該シャフト及び該アンカー部材からなる一群の一つが上気道の開放を保つ
に十分な力を維持しながら伸張する請求項９の装置。
【請求項１１】
該開創器部材と該シャフト間の該連結が離脱可能な請求項１の装置。
【請求項１２】
該アンカー部材と該シャフト間の該連結が離脱可能な請求項１の装置。
【請求項１３】
該シャフトが体内通路を含む請求項１の装置。
【請求項１４】
更に患者の咽頭、口腔、歯及び口外のはめ込み内の少なくとも一つと連結を含む請求項１
の装置。
【請求項１５】
連通を必要とする患者の消化管と呼吸器系の少なくとも一つと連通する装置で、
ａ）開口をもつ対舌部材と
ｂ）該患者の体外と該患者の消化管と呼吸器系の少なくとも一つの一部と連通することが
できる該対舌部材を通るチューブからなる装置。
【請求項１６】
患者の健康を監視する装置で、
ａ）対舌部材と
ｂ）該対舌部材と連結したセンサーからなる装置。
【請求項１７】
該センサーが機械的トランスデュサーと薬品探知機の少なくとも一つからなる請求項１６
の装置。
【請求項１８】
該センサーが該センサー近傍組織の一部の状態と循環系の一部状態の少なくとも一つを測
定する請求項１６の装置。
【請求項１９】
該装置が更に電気刺激を与えることができる電極を含む請求項１６の装置。
【請求項２０】
送信機と受信機からなる一群の少なくとも一つの部材を更に含む請求項１６の装置。
【請求項２１】
電気刺激を与える装置が
ａ）対舌部材と
ｂ）電気刺激を与えることができる電極からなる
装置。
【請求項２２】
薬剤を必要とする患者に該薬剤を送る装置で、
ａ）開口をもつインプラント可能な部材と
ｂ）該インプラント可能な部材に連結し、該薬剤を徐放できる薬剤容器からなる装置。
【請求項２３】
該インプラント可能な部材が生体吸収性材料からなる請求項２２の装置。
【請求項２４】
該連通が流体の移送を含む請求項１５の装置。
【請求項２５】
該連通が撮像装置を含む請求項１５の装置。
【請求項２６】
該撮像装置が光ファイバーを含む請求項２５の装置。
【請求項２７】
内視鏡手術部材を含む請求項１５の装置。
【請求項２８】
呼吸障害を治療するための組織開創器であって、
ａ）患者の口腔又は咽頭内にある軟組織内に挿入されるサイズとしたシャフトと、
ｂ）該シャフトの第一端又はその付近に連結された開創器部材と、
ｃ）該シャフトの第二端又はその付近に連結されたアンカー部材とを備え、
該開創器部材及びアンカー部材の少なくとも一つが軟組織の外表面上に位置決めされるように形状づけられ、
該開創器部材とアンカー部材とは、上記軟組織を患者の口腔又は咽頭内にある他の軟組織に向かって移動する外表面の変形を阻止する圧力を発揮するように相互作用することを特徴とする組織開創器。
【請求項２９】
上記圧力は上記外表面の変形を阻止するように上記軟組織を硬化させる、上記圧力は該外表面の変形を阻止する反作用圧力であり、上記圧力は該外表面にへこみを生成する反作用圧力であり、又は上記開創器部材、シャフト、アンカー部材の少なくとも一つが該軟組織上に発揮される圧力を調整する、請求項２８の組織開創器。  
【請求項３０】
上記組織開創器は一つ又はそれ以上の生体適合性材料から形成される、請求項２８の組織開創器。
【請求項３１】
該シャフトは可撓性である、請求項２８の組織開創器。
【請求項３２】
該シャフトは除去可能である、請求項２８の組織開創器。
【請求項３３】
該開創器部材、シャフト、アンカー部材の少なくとも一つが膨張可能な風船を備えている、請求項２８組織開創器。
【請求項３４】
該開創器部材及びアンカー部材の少なくとも一つがシャフトより離脱可能である、請求項２８の組織開創器。
【請求項３５】
該シャフトが流体を添加するために内部通路を有する、請求項２８の組織開創器。
【請求項３６】
該シャフトが該流体のための調整器を備えている、請求項３５の組織開創器。
【請求項３７】
患者の咽頭、患者の口腔、患者の歯、歯科装置、患者の口外物体の少なくとも一つへの連結手段をさらに備えている、請求項２８の組織開創器。
【請求項３８】
いびき、睡眠時無呼吸の少なくとも一つを治療するための組織開創器であって、
ａ）患者の舌内に挿入されるサイズとしたシャフトと、
ｂ）該シャフトの第一端又はその付近に連結された開創器部材と、
ｃ）該シャフトの第二端又はその付近に連結されたアンカー部材とを備え、
該開創器部材及びアンカー部材の少なくとも一つが該舌の外表面上に位置決めされるように形状づけられ、
該シャフト、開創器部材、アンカー部材の少なくとも一つは、上記外表面が患者の口腔又は咽頭内にある他の軟組織に向かって落ちるのを阻止する圧力を発揮するように相互作用することを特徴とする組織開創器。
【請求項３９】
該シャフトが患者の舌を通して挿入されるようなサイズとされた、請求項５３８組織開創器。
【請求項４０】
上記圧力は該外表面の変形を阻止する反作用圧力であり、上記圧力は該外表面にへこみを生成する反作用圧力であり、又は上記開創器部材、シャフト、アンカー部材が該舌上に発揮される反作用圧力をかえるように調整する、請求項３８の組織開創器。
【請求項４１】
上記組織開創器は一つ又はそれ以上の生体適合性材料から形成される、請求項３８の組織開創器。
【請求項４２】
該シャフトは可撓性である、請求項３８の組織開創器。
【請求項４３】
該シャフトは除去可能である、請求項３８の組織開創器。
【請求項４４】
該開創器部材、シャフト、アンカー部材の少なくとも一つが膨張可能なチューブを備えているか、又は該シャフトが流体を添加するために内部通路を有する、請求項３８の組織開創器。
【請求項４５】
該外表面が舌湾曲部の中心線である、請求項３８の組織開創器。
【請求項４６】
該開創器部材及びアンカー部材の少なくとも一つがシャフトより離脱可能である、請求項３８の組織開創器。
【請求項４７】
患者の咽頭、患者の口腔、患者の歯、歯科装置、患者の口外物体の少なくとも一つへの連結手段をさらに備えている、請求項３８の組織開創器。
【請求項４８】
いびき、睡眠時無呼吸の少なくとも一つを治療するための組織開創器であって、
ａ）患者の舌内に挿入されるように形状付けられたシャフトと、
ｂ）該シャフトの第一端又はその付近に連結された開創器部材と、
ｃ）該シャフトの第二端又はその付近に連結されたアンカー部材とを備え、
該開創器部材及びアンカー部材の少なくとも一つが該舌の外表面上に位置決めされるように形状づけられ、
該シャフト、開創器部材、アンカー部材の少なくとも一つは、該舌の少なくとも部分が患者の口腔又は咽頭内にある軟組織に向かって圧潰するのを阻止することを特徴とする組織開創器。
【請求項４９】
該シャフトは除去可能である、請求項４８の組織開創器。
【請求項５０】
いびき、睡眠時無呼吸の少なくとも一つを治療するための組織開創器であって、
ａ）患者の舌内に除去可能に挿入されるサイズとしたシャフトであって、舌根又はその付近に連結された第一端と、舌小帯又はその付近に連結された第二端とを有するシャフトと、
ｂ）該第一端又はその付近に連結された開創器部材と、
ｃ）該第二端又はその付近に連結されたアンカー部材とを備え、
該開創器部材は該舌の外表面上に位置決めされるように形状づけられ、
該シャフト、開創器部材、アンカー部材は、該外表面が患者の口腔又は咽頭内にある他の軟組織に向かって移動する外表面の変形を阻止する反作用圧力を発揮するように相互作用することを特徴とする組織開創器。
【請求項５１】
該反作用圧力は該外表面が該軟組織に向かって落ちるのを阻止することを特徴とする、請求項５０の組織開創器。
【請求項５２】
呼吸障害を治療するための装置であって、
第一端と第二端とこれらの端の間に配置されたシャフトを備え、
該シャフトは患者の口腔又は咽頭内にある軟組織を通して配置されるようになっており、
該第一端と第二端の少なくとも一つは、該第一端と第二端の各々が軟組織のみと接触して、該軟組織の外表面上に位置決めされ、
該第一端と、第二端と、シャフトの少なくとも一つは、患者の気道のつまりを阻止するために該軟組織の少なくとも部分の変形を阻止する圧力を発揮するように相互作用することを特徴とする装置。
【請求項５３】
該第一端と第二端の両者は該軟組織の外表面上に位置決めされるように形状付けられている、請求項５２の装置。